(57)【要約】      （修正有）【課題】ナットにワッシャーを分離不能に組み付けて部品管理が容易に行え、装着作業も簡単容易に行えながら、確実強固に緩み止めが行えるワッシャー付ナットを提供する。【解決手段】ナット本体２と、ナット本体２の座面下部にカシメにて回転自由で分離不能に係着されたワッシャー３とからなり、ナット本体２に、その座面に周方向に向かってノコ刃形状を呈する第１カム部２３を多数形成すると共に、座面側におけるねじ孔２１周りにカシメ用の筒状突片２４を下方に一体に突設した。ワッシャー３に、中心部にカシメ止め用の小径係合部３１ａを有する貫通孔３１を形成し、上面には第１カム部２３と噛合するノコ刃形状の第２カム部３２を周方向に向かって多数形成すると共に、下面には半径方向に向かって円弧状に延びる細かい多数の円弧状ギサ３３を形成した。【選択図】図２
0003188237.tif 000002
【実用新案登録請求の範囲】
【請求項１】
中心部にねじ孔２１を有するナット本体２と、ナット本体２の座面下部にカシメにて回転自由で分離不能に係着されたワッシャー３とからなるワッシャー付ナットであって、ナット本体２には、その座面に周方向に向かってノコ刃形状を呈する第１カム部２３が多数形成されると共に、座面側におけるねじ孔２１周りにカシメ用の筒状突片２４が下方に一体に突設されている一方、ワッシャー３には、中心部にカシメ止め用の小径係合部３１ａを有する貫通孔３１が形成され、上面には上記第１カム部２３と噛合するノコ刃形状の第２カム部３２が周方向に向かって多数形成されると共に、下面には半径方向に向かって円弧状に延びる細かい多数の円弧状ギサ３３が形成されており、このワッシャー３の貫通孔３１に、上記ナット本体１のカシメ用の筒状突片２４が差し込まれ、その筒状突片２４が小径係合部３１ａにカシメ止めされて、上記ナット本体１にワッシャー３が回転自由で分離不能に係着されていることを特徴とするワッシャー付ナット。
【考案の詳細な説明】
【技術分野】
【０００１】  本考案は、ボルトと共に被締結体の締結に用いられるワッシャー付ナットに関する。
【背景技術】
【０００２】  従来、例えばナットの緩みを防止するワッシャーとしては、例えば図９に示すダブルワッシャー４０が知られている。このダブルワッシャー４０は、二枚一組のワッシャー４１，４１から構成され、一般的なナットＮの座面と被締結体Ｘとの間に介装されて用いられるもので、各ワッシャー４１，４１の内側面にはクサビ状のカム４１ａ，４１ａが、また外側面には放射状の細かいリブ４１ｂ，４１ｂが刻まれた形状となっている。【０００３】  そして、このダブルワッシャー４０及びナットＮと、ボルトＢを用いて被締結体Ｘを締結するときには、被締結体ＸにボルトＢを挿通したうえで、このボルトＢ先端部に、図９で示すように二枚のワッシャー４１，４１を介在した状態でナットＮを締め付けることにより、両ワッシャー４１，４１の内側面に形成されたカム４１ａ，４１ａ同士の係合によるクサビ効果と、両ワッシャー４１，４１の外側面に形成されたリブ４１ｂ，４１ｂによるナットＮ座面と被締結体Ｘへの食付きにより緩みなく固定できるようになされている。
【考案の概要】
【考案が解決しようとする課題】
【０００４】  ところで、上記したダブルワッシャー４０にあっては、二枚一組で両者は分離可能な構成となっており、また、ダブルワッシャー４０は、ナットＮに対して個別の独立した構成となっている。そのため、ナットＮとダブルワッシャー４０をそれぞれ個別に管理保管する必要があるし、しかも、ダブルワッシャー４０の使用に際しては、各ワッシャー４１，４１のカム４１ａ，４１ａが内側面に位置し、各ワッシャー４１，４１のリブ４１ｂ，４１ｂが該側面に位置するようセット化して、両ワッシャー４１，４１の組付け間違いがないよう確認しながら使用する必要があった。その上、ダブルワッシャー４０とナットＮをボルトＢに対して個別に装着する必要があるので、その装着作業が面倒で手間がかかり、誤ってダブルワッシャー４０やナットＮを落としてしまうといったケースも多くなる問題を有していた。【０００５】  そこで、本考案は、ナットにワッシャーを分離不能に組み付けて部品管理が容易に行え、装着作業も簡単容易に行えながら、しかも、確実強固に緩み止めが行えるワッシャー付ナットの提供を課題とする。
【課題を解決するための手段】
【０００６】  上記した問題を解決するため、本願の請求項１記載の考案は、中心部にねじ孔２１を有するナット本体２と、ナット本体２の座面下部にカシメにて回転自由で分離不能に係着されたワッシャー３とからなるワッシャー付ナットであって、ナット本体２には、その座面に周方向に向かってノコ刃形状を呈する第１カム部２３が多数形成されると共に、座面側におけるねじ孔２１周りにカシメ用の筒状突片２４が下方に一体に突設されている一方、ワッシャー３には、中心部にカシメ止め用の小径係合部３１ａを有する貫通孔３１が形成され、上面には上記第１カム部２３と噛合するノコ刃形状の第２カム部３２が周方向に向かって多数形成されると共に、下面には半径方向に向かって円弧状に延びる細かい多数の円弧状ギサ３３が形成されており、このワッシャー３の貫通孔３１に、上記ナット本体１のカシメ用の筒状突片２４が差し込まれ、その筒状突片２４が小径係合部３１ａにカシメ止めされて、上記ナット本体１にワッシャー３が回転自由で分離不能に係着されていることを特徴とする。
【考案の効果】
【０００７】  本考案のワッシャー付ナットによれば、ワッシャー３がナット本体２に対し回転自由で分離不能に係着されている一体化されているので、締付けに際し、ワッシャー３とナット本体２とは分離することなく一緒にねじ込むことができる。これにより従来のようにワッシャーやナットを落としたりすることなく簡単容易にかつ迅速にねじ込み作業が行えるし、また、部品点数を減らし部品管理も容易に行える。しかも、締結終了時には、ワッシャー３の下面に形成された円弧状ギサ３３による被締結体への食付き効果と、ナット本体２のノコ刃形状の第１カム部２３とワッシャー３のノコ刃形状の第２カム部３２との係合によるクサビ効果とが得られ、これら両効果の相乗効果により、ワッシャー付ナットを緩みなく確実強固に固定することができる。さらに、ワッシャー３の下面に、特に半径方向に向かって円弧状に延びる細かい多数の円弧状ギサ３３が形成されているので、ギサ３３の被締結体Ｘへの係合箇所をできるだけ多く増やすことができ、この独特の形状を採用することにより食付き効果を一層向上させることができる。
【図面の簡単な説明】
【０００８】
【図１】本考案に係るワッシャー付ナットの使用状態を示す一部切欠正面図である。縦断面図である。
【図２】同ワッシャー付ナットの縦断面図である。
【図３】同ナット本体の一部切欠縦断面図である。
【図４】同ナット本体の底面図である。
【図５】同ワッシャーの正面図である。
【図６】同ワッシャーの平面図である。
【図７】同ワッシャーの底面図である。
【図８】ワッシャー付ボルトの説明図である。
【図９】従来の説明図である。
【考案を実施するための形態】
【０００９】  以下本考案の実施の形態を図に基づいて説明する。
【００１０】  図１及び図２は、本考案の緩み止めワッシャーを備えたワッシャー付ナットを示し、このナット１は、中心部にねじ孔２１を有するナット本体２と、ナット本体２の座面下部にカシメにて回転自由で分離不能に係着されたワッシャー３とからなる。
【００１１】  ナット本体２は、図３及び図４に示すように多角形状（図では六角形状）で、その下部に円形状の鍔状座部２２を有し、鍔状座部２２の座面には、周方向に向かってノコ刃形状を呈する第１カム部２３が多数形成されると共に、座面側におけるねじ孔２１周りにカシメ用の筒状突片２４が下方に一体に連設されている。
【００１２】  また、ワッシャー３は、図５〜図７に示すように中心部にカシメ止め用の小径係合部３１ａを有する貫通孔３１を備え、上面には上記第１カム部２３と係合するノコ刃形状の第２カム部３２が周方向に向かって多数形成されると共に、下面には半径方向に延びる多数の細かい円弧状ギサ３３が形成されている。
【００１３】  そして、図２に示すようにワッシャー３の貫通孔３１に、上記ナット本体１のカシメ用の筒状突片２４が差し込まれ、その筒状突片２４が小径係合部３１ａにカシメ止めされて、上記ワッシャー３にワッシャー３が回転自由で分離不能に係着されている。その場合、ナット本体２の第１カム部２３がワッシャー３の第２カム部３２を乗り越えて回転できるようにワッシャー３に対しナット本体２が多少上下動可能に係着されている。
【００１４】  また、ナット本体２の第１カム部２３とワッシャー３の第２カム部３２の傾斜角度は、ボルトＢのねじリード角より大きく設定するのがこのましい。これにより、ボルトが緩もうとするとのワッシャーの第２カム部３２がナット本体２の第１カム部２３を押し上げて離れようとする力が働くが、クサビ効果のためねじピッチ以上は離れることがなくなる。
【００１５】  次に、上記したワッシャー付ナットの作用について説明する。
【００１６】  図１に示すように、上記したワッシャー付ナット１を被締結体Ｘに挿通されたボルトＢにねじ込んで締結する。
【００１７】  このとき、ワッシャー付ナット１の締付けに際し、ワッシャー３はナット本体２に対し一体化されているので、ワッシャー３とナット本体２とは分離することなく一緒にねじ込むことができ、従来のようにワッシャーやナットを落としたりすることなく簡単容易にねじ込み作業が行える。
【００１８】  そして、ワッシャー３が被締結体Ｘに当接すると、ワッシャー３の円弧状ギサ３３が被締結体Ｘに食付いてワッシャー３はその回転が止まる。その後はナット本体２のみがさらにねじ込まれる。このときナット本体２はその座面に形成された周方向に向かうノコ刃形状の第１カム部２３が、ワッシャー３の上面に形成された周方向に向かうノコ刃形状の第２カム部３２を滑るように乗り上げながら強くねじ込まれて締結される。これにより、締結終了時には、ナット本体２のノコ刃形状の第１カム部２３とワッシャー３のノコ刃形状の第２カム部３２との係合によるクサビ効果が得られる。このクサビ効果により、ナット本体２がワッシャー３に対して回転することが確実に阻止される。
【００１９】  以上のように、本考案のワッシャー付ナットによれば、ワッシャー３の下面に形成された円弧状ギサ３３による被締結体Ｘへの食付き効果と、第１カム部２３と第２カム部３２の係合によるクサビ効果との相乗効果により、ワッシャー付ナットを緩みなく確実強固に固定することができる。
【００２０】  また、ワッシャー３の下面に、特に半径方向に向かって円弧状に延びる細かい多数の円弧状ギサ３３が形成されているので、ギサ３３の被締結体Ｘへの係合箇所をできるだけ多く増やすことができ、この独特の形状を採用することにより食付き効果を一層向上させることができる。
【００２１】  なお、上記したワッシャー付ナットのノコ刃形状の第１カム部２３とワッシャー３のノコ刃形状の第２カム部３２との係合によるクサビ機構と、ワッシャー３の下面に形成された円弧状ギサ３３による被締結体Ｘへの食付き機構とを、たとえば図８に示すようにワッシャー付ボルト１Ａにも採用することは可能である。その場合、ボルト１Ａの頭部座面にノコ刃形状の第１カム部２３Ａを形成する一方、上面に第１カム部２３Ａと係合するノコ刃形状の第２カム部３２Ａを、また下面に円弧状ギサ３３Ａを形成した先の実施の形態で説明したワッシャー３と同様のワッシャー３Ａを用いて、上記ボルト１Ａの頭部座面部分にワッシャー３Ａを適宜係着手段（図示せず）により回転自由で分離不能に係着すればよい。
【符号の説明】
【００２２】  １          ナット
２          ナット本体
２１        ねじ孔
２３        第１カム部
２４        筒状突片
３          ワッシャー
３１        貫通孔
３１ａ      小径係合部
３２        第２カム部
３３        円弧状ギサ
【図１】
0003188237.tif 000003
【図２】
0003188237.tif 000004
【図３】
0003188237.tif 000005
【図４】
0003188237.tif 000006
【図５】
0003188237.tif 000007
【図６】
0003188237.tif 000008
【図７】
0003188237.tif 000009
【図８】
0003188237.tif 000010
【図９】
0003188237.tif 000011
【手続補正書】
【提出日】平成25年10月24日(2013.10.24)
【手続補正１】
【補正対象書類名】実用新案登録請求の範囲
【補正対象項目名】全文
【補正方法】変更
【補正の内容】
【実用新案登録請求の範囲】
【請求項１】
中心部にねじ孔（２１）を有するナット本体（２）と、ナット本体（２）の座面下部にカシメにて回転自由で分離不能に係着されたワッシャー（３）とからなるワッシャー付ナットであって、ナット本体（２）には、その座面に周方向に向かってノコ刃形状を呈する第１カム部（２３）が多数形成されると共に、座面側におけるねじ孔（２１）周りにカシメ用の筒状突片（２４）が下方に一体に突設されている一方、ワッシャー（３）には、中心部にカシメ止め用の小径係合部（３１ａ）を有する貫通孔（３１）が形成され、上面には上記第１カム部（２３）と噛合するノコ刃形状の第２カム部（３２）が周方向に向かって多数形成されると共に、下面には半径方向に向かって円弧状に延びる細かい多数の円弧状ギサ（３３）が形成されており、このワッシャー（３）の貫通孔（３１）に、上記ナット本体（２）のカシメ用の筒状突片（２４）が差し込まれ、その筒状突片（２４）が小径係合部（３１ａ）にカシメ止めされて、上記ナット本体（２）にワッシャー（３）が回転自由で分離不能に係着されていることを特徴とするワッシャー付ナット。
【手続補正２】
【補正対象書類名】明細書
【補正対象項目名】０００６
【補正方法】変更
【補正の内容】
【０００６】  上記した問題を解決するため、本願の請求項１記載の考案は、中心部にねじ孔２１を有するナット本体２と、ナット本体２の座面下部にカシメにて回転自由で分離不能に係着されたワッシャー３とからなるワッシャー付ナットであって、ナット本体２には、その座面に周方向に向かってノコ刃形状を呈する第１カム部２３が多数形成されると共に、座面側におけるねじ孔２１周りにカシメ用の筒状突片２４が下方に一体に突設されている一方、ワッシャー３には、中心部にカシメ止め用の小径係合部３１ａを有する貫通孔３１が形成され、上面には上記第１カム部２３と噛合するノコ刃形状の第２カム部３２が周方向に向かって多数形成されると共に、下面には半径方向に向かって円弧状に延びる細かい多数の円弧状ギサ３３が形成されており、このワッシャー３の貫通孔３１に、上記ナット本体２のカシメ用の筒状突片２４が差し込まれ、その筒状突片２４が小径係合部３１ａにカシメ止めされて、上記ナット本体２にワッシャー３が回転自由で分離不能に係着されていることを特徴とする。
【手続補正３】
【補正対象書類名】明細書
【補正対象項目名】００１３
【補正方法】変更
【補正の内容】
【００１３】  そして、図２に示すようにワッシャー３の貫通孔３１に、上記ナット本体２のカシメ用の筒状突片２４が差し込まれ、その筒状突片２４が小径係合部３１ａにカシメ止めされて、上記ワッシャー３にワッシャー３が回転自由で分離不能に係着されている。その場合、ナット本体２の第１カム部２３がワッシャー３の第２カム部３２を乗り越えて回転できるようにワッシャー３に対しナット本体２が多少上下動可能に係着されている。